【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
第１と第２の端末ユニット間でデータを通信するように動作可能な装置であって、前記第１および第２の端末ユニットの中の少なくとも一方が、移動端末ユニットであり、装置が、
基地局と、
受信可能範囲の異なる領域をもつ複数のアンテナユニットであって、各アンテナユニットが前記基地局にリンクされていて、前記基地局から受信した変調されたデータ信号を無線で送信し、無線で受信した変調されたデータ信号を前記基地局へ送るように動作可能な複数のアンテナユニットとを含み、
前記基地局が、
無線送信のために前記複数のアンテナユニットの各々へ変調されたデータ信号を送信する送信機と、
前記複数のアンテナユニットの中の少なくとも１つによって送られた変調されたデータ信号を受信する受信機と、
所定の変調方式にしたがって変調された、所定のデータチャネルに関係する受信した変調されたデータ信号を復調する復調器とを含み、前記所定の方式にしたがって、前記データチャネル内の変調されたデータの連続するブロックが、所定の最小時間期間が、前記連続する変調されたデータブロックの第１のものが受信機に到達してから第２のものが到達するまでに経過するように定められ、前記複数のアンテナユニットの所与の構成において、前記所定の最小時間期間が、前記所与の構成内のアンテナユニットによる、前記受信機における、前記データチャネル内の前記連続する変調されたデータブロックの第１のものの最初の到達時間から最後の到達時間までの時間間隔に対応するように設定される復調器とを含む装置。
【請求項２】
前記データチャネル内の前記連続する変調されたデータブロックの中の第１のものの最後の到達時間が、前記データチャネルに到達する前記連続する変調されたデータブロックの第２のものと干渉を起こすのに十分に高い信号レベルにおける、前記連続する変調されたデータブロックの第１のものの最後の到達時間である請求項１記載の装置。
【請求項３】
前記複数のアンテナユニットの各々が、少なくとも１本の光ファイバ伝送線路によって前記基地局にリンクされ、前記送信機および前記受信機が電子光デバイスである請求項１または２記載の装置。
【請求項４】
前記少なくとも１つの移動端末ユニットと通信する少なくとも２本のデータチャネルを与えるように動作可能な装置であって、異なる所定の周波数が、前記データチャネルの各々の上でデータを通信するために割り振られる請求項１ないし３の何れか１項記載の装置。
【請求項５】
前記所定の周波数の各々が、５５ＧＨｚないし６５ＧＨｚの周波数範囲に位置する請求項４記載の装置。
【請求項６】
前記基地局が、前記少なくとも２本のデータチャネルの各々に関係する信号を、前記複数のアンテナユニットの中の１つから受信機において受信された変調されたデータ信号内に含まれているときに、分離するためのチャネル分離手段をさらに含む請求項４または５記載の装置。
【請求項７】
前記基地局が、前記少なくとも２本のデータチャネルの各々において、前記複数のアンテナユニットの中の少なくとも２つから受信した、それぞれの分離信号を結合するように動作可能な結合手段をさらに含む請求項６記載の装置。
【請求項８】
前記所定の変調方式が、符号化直交周波数分割多重化（coded orthogonal frequency division multiplexing, COFDM）方式であり、前記所定の最小時間期間が、変調されたシンボル間にＣＯＦＤＭ変調器によって挿入される保護間隔によって達成される請求項１ないし７の何れか１項記載の装置。
【請求項９】
前記複数のアンテナユニットの各々が、光ファイバ伝送線路の実質的に等しい長さによって前記基地局にリンクされ、前記基地局と前記複数のアンテナユニットの各々との間で信号を通信するときの遅延を等しくする請求項３記載の装置。
【請求項１０】
第１の移動端末ユニットと第２の端末ユニットとの間で、受信可能範囲の異なる領域をもち、基地局を第２の端末ユニットに関係付ける複数のアンテナユニットによって設定されたデータチャネル上で、データを通信する方法であって、方法が、
（ｉ）第１の移動端末ユニットにおいて、所定の変調方式にしたがって変調されたデータ信号を生成するステップと、
（ｉｉ）前記複数のアンテナユニットの中の少なくとも１つによって受信される、変調されたデータ信号を無線で送信するステップと、
（ｉｉｉ）関係付けられた基地局において、第２の端末ユニットへ通信するための前記データチャネル内の受信した変調されたデータ信号を復調するステップとを含み、
ステップ（ｉ）において、前記所定の変調方式にしたがって、前記データチャネル内の変調されたデータの連続するブロックが、所定の最小時間期間が、前記連続する変調されたデータブロックの第１のものが基地局に到達してから第２のものが到達するまでに経過するように定められ、前記複数のアンテナユニットの所与の構成において、前記所定の最小時間期間が、前記所与の構成内のアンテナユニットによる、基地局における、前記データチャネル内の前記連続する変調されたデータブロックの第１のものの最初の到達時間から最後の到達時間までの時間間隔に設定される方法。
【請求項１１】
前記データチャネル内の前記連続する変調されたデータブロックの第１のものの最後の到達時間が、前記データチャネルに到達する前記連続する変調されたデータブロックの第２のものと干渉を起こすのに十分に高い信号レベルにおける、前記連続する変調されたデータブロックの第１のものの最後の到達時間である請求項１０記載の方法。
【請求項１２】
データ信号が、少なくとも２本のデータチャネルの中の選択された１本の上で通信されることができ、ステップ（ｉ）において、変調されたデータ信号が、選択されたデータチャネル上でデータを通信するために割り振られるそれぞれの所定の周波数の信号に変換される請求項１０または１１記載の方法。
【請求項１３】
前記所定の周波数が、５５ＧＨｚないし６５ＧＨｚの周波数範囲に位置する請求項１２記載の方法。
【請求項１４】
（ｉｉｉ）選択されたデータチャネル上で通信される変調されたデータ信号を基地局において受信することと、
（ｉｖ）受信した変調されたデータ信号をそれらのチャネル周波数にしたがって分離するように定められたチャネル分離器を介して、受信した変調されたデータ信号をルート設定するステップと、
（ｖ）受信した変調されたデータ信号が、前記複数のアンテナユニットの中の２つ以上から受信されるイベントにおいて、選択されたデータチャネルのための受信した変調されたデータ信号を結合するステップと、
（ｖｉ）選択されたデータチャネルのための受信した変調されたデータ信号を、とくに結合するときに、復調するステップとをさらに含む請求項１２または１３記載の方法。
【請求項１５】
前記所定の変調方式が、符号化直交周波数分割多重化（ＣＯＦＤＭ）方式であり、前記所定の最小時間期間が、ステップ（ｉ）において、変調されたデータ信号を生成するときに、変調されたシンボル間に挿入される保護間隔によって達成される請求項１０ないし１４の何れか１項記載の方法。
【手続補正２】
【補正対象書類名】明細書
【補正対象項目名】０００３
【補正方法】変更
【補正の内容】
【０００３】
本発明の第１の態様にしたがって、第１と第２の端末ユニット間でデータを通信するように動作可能な装置であって、前記第１および第２の端末ユニットの中の少なくとも一方が、移動端末ユニットであり、装置が、
基地局と、
受信可能範囲の異なる領域をもつ複数のアンテナユニットであって、各アンテナユニットが前記基地局にリンクされていて、前記基地局から受信した変調されたデータ信号を無線で送信し、無線で受信した変調されたデータ信号を前記基地局へ送るように動作可能な複数のアンテナユニットとを含み、
前記基地局が、
無線送信のために前記複数のアンテナユニットの各々へ変調されたデータ信号を送信する送信機と、
前記複数のアンテナユニットの中の少なくとも１つによって送られた変調されたデータ信号を受信する受信機と、
所定の変調方式にしたがって変調された、所定のデータチャネルに関係する受信した変調されたデータ信号を復調する復調器とを含み、前記所定の方式にしたがって、前記データチャネル内の変調されたデータの連続するブロックが、所定の最小時間期間が、前記連続する変調されたデータブロックの第１のものが受信機に到達してから第２のものが到達するまでに経過するように定められ、前記複数のアンテナユニットの所与の構成において、前記所定の最小時間期間が、前記所与の構成内のアンテナユニットによる、前記受信機における、前記データチャネル内の前記連続する変調されたデータブロックの第１のものの最初の到達時間から最後の到達時間までの時間間隔に対応するように設定される装置が与えられる。
【手続補正３】
【補正対象書類名】明細書
【補正対象項目名】０００６
【補正方法】変更
【補正の内容】
【０００６】
本発明の第２の態様にしたがって、第１の移動端末ユニットと第２の端末ユニットとの間で、受信可能範囲の異なる領域をもち、基地局を第２の端末ユニットに関係付ける複数のアンテナユニットによって設定されたデータチャネル上でデータを通信する方法であって、方法が、
（ｉ）第１の移動端末ユニットにおいて、所定の変調方式にしたがって変調されたデータ信号を生成するステップと、
（ｉｉ）前記複数のアンテナユニットの中の少なくとも１つによって受信される、変調されたデータ信号を無線で送信するステップと、
（ｉｉｉ）関係付けられた基地局において、第２の端末ユニットへ通信するための前記データチャネル内の受信した変調されたデータ信号を復調するステップとを含み、
ステップ（ｉ）において、前記所定の変調方式にしたがって、前記データチャネル内の変調されたデータの連続するブロックが、所定の最小時間期間が、前記連続する変調されたデータブロックの第１のものが基地局に到達してから第２のものが到達するまでに経過するように定められ、前記複数のアンテナユニットの所与の構成において、前記所定の最小時間期間が、前記所与の構成内のアンテナユニットによる、基地局における、前記データチャネル内の前記連続する変調されたデータブロックの第１のものの最初の到達時間から最後の到達時間までの時間間隔に設定される方法が与えられる。